(57)【要約】【課題】円形貯水タンクの屋根部の改修又は補修に際して、貯水空間を容易かつ効果的に密閉保護することができる円形貯水タンクの密閉機構、及び、気体の注入により円環状に膨張し、円形密閉シートの周縁部を本体内壁に密着させ、塵埃などの異物の混入を防ぐことができる該機構用の可撓性シート製中空管環状体の製造方法を提供する。【解決手段】円形貯水タンクの本体内上部に架設する円形密閉シート及び可撓性シート製中空管多角形環状体よりなる円形貯水タンクの密閉機構、及び、帯状の可撓性シートの長手方向の１５〜６０か所に両側縁を結ぶ２本の略正弦曲線からなる切り欠きを形成し、該切り欠きに隣接する可撓性シートどうしを接合したのち、帯状の可撓性シートの両側縁を接合して中空管とする円形貯水タンクの密閉機構用の可撓性シート製中空管環状体の製造方法。【選択図】図１
2008207850.tif 000002
【特許請求の範囲】
【請求項１】
円形貯水タンクの本体内上部に架設する円形密閉シート及び可撓性シート製中空管環状体よりなる円形貯水タンクの密閉機構であって、円形密閉シートの直径が円形貯水タンクの直径より大きく、円形密閉シートの周縁が円形貯水タンクの上部内面に係止され、可撓性シート製中空管環状体が気体充填口を有し、気体を圧入膨張した状態での可撓性シート製中空管環状体の外周が円形密閉シートを介して円形貯水タンクの内周に当接し、可撓性シート製中空管環状体は複数個の円筒形中空管が連結された形状であり、連結される個々の円筒形中空管は、円筒形の両端が該円筒形の中心軸と直交しない平面で切断され、中心軸を含む一つの平面に対して面対称であり、複数個の円筒形中空管の最長の母線及び最短の母線がそれぞれ連続するように、複数個の円筒形中空管が連結された形状であることを特徴とする円形貯水タンクの密閉機構。
【請求項２】
帯状の可撓性シートの長手方向の１５〜６０か所に両側縁を結ぶ２本の略正弦曲線からなる切り欠きを形成し、該切り欠きに隣接する可撓性シートどうしを接合したのち、帯状の可撓性シートの両側縁を接合して中空管とすることを特徴とする請求項１記載の円形貯水タンクの密閉機構用の可撓性シート製中空管環状体の製造方法。
【発明の詳細な説明】
【技術分野】
【０００１】
本発明は、円形貯水タンクの密閉機構及び該機構用の可撓性シート製中空管環状体の製造方法に関する。さらに詳しくは、本発明は、円筒形の本体及び屋根部からなる円形貯水タンクの屋根部の改修又は補修に際して、貯水空間を容易かつ効果的に密閉保護することができる円形貯水タンクの密閉機構及び気体の注入により円環状に膨張し、人手をかけることなく円形密閉シートの周縁部を本体内壁に密着させ、塵埃などの異物の混入を防いで、貯水空間を確実に保護することができる該機構用の可撓性シート製中空管環状体の製造方法に関する。
【背景技術】
【０００２】
飲料水や工業用水などを貯留する円形貯水タンクは、円筒形の本体及び屋根部からなる構造のものが多い。タンクの本体は円形の底板と円筒形の側壁とからなり、従来より、側壁はプレストレストコンクリートにより構築され、屋根部は鉄筋コンクリートによりドーム状に構築されていた。屋根部の厚さは側壁の厚さより薄く、水中の塩素により侵されるためにコンクリートの劣化が進行し、本体は継続して使用し得るが、屋根部は使用に耐えないような状態が生ずる。このような場合には、屋根部を補修し、あるいは、屋根部を解体し、アルミニウム合金製のドーム屋根に取り替えて改修するなどにより、円形貯水タンクの耐用年数を延長することが行われる。
円形貯水タンクの改修又は補修に際しては、タンクの使用を一時中断する必要が生ずる。しかし、飲料水は毎日利用するものであり、タンクの使用を中断すると給水が不可能になる。このために、円形貯水タンクを使用し、給水を続けながら、屋根部を改修又は補修することができる工法の開発が進められている。
例えば、タンクを利用しながらも、貯蔵水の水質を悪化させることなく、既存屋根部を改修、解体することのできるタンクの屋根部改修方法として、貯蔵水の上側の貯蔵空間を密閉するように、水に接触しても水質を悪化させる物質を放出しない仮設密閉構造体を架設し、この仮設密閉構造体の上側の貯蔵空間に、仮設密閉構造体を損傷させる落下物を遮断する仮設張力構造体を架設したのち、既存屋根部を改修するタンクの屋根部改修方法が提案されている（特許文献１）。
図１５は、この改修方法の説明図である。円筒形の本体３５及び屋根部３６からなる円形貯水タンク３７の本体内上部に貯水空間を密閉保護するための円形密閉シート３８が架設され、その上側に落下物を遮断する仮設張力構造体３９が仮設されている。この状態で、密閉シートは落下物の衝撃から保護され、貯水空間は外部環境から保護されているので、貯留水の水質の悪化を招くことなく屋根部の工事を行うことができる。
図１６は、密閉シートとタンク本体内壁との接合状態の説明図である。タンクの側壁４０にアンカーボルト４１の一部が埋め込まれ、密閉シート３８の周縁部に開けられた穴がアンカーボルトに挿通される。密閉シートの周縁部は、アンカーボルトに挿通された押さえプレート４２により押えられ、螺合ボルト４３により締結される。このような構成により、密閉シートはタンク本体内壁に固定されるが、密閉シートと本体内壁の間の隙間から塵埃などが混入するおそれがある。隣接するアンカーボルトの間隔を狭めることにより、密閉シートと本体内壁の隙間を減少することはできるが、塵埃混入の懸念を完全に払拭することはできず、また、アンカーボルトの本数を増すことは、そのまま作業工数の増大につながる。
【特許文献１】特開２００１−１７１７８８号公報
【発明の開示】
【発明が解決しようとする課題】
【０００３】
本発明は、円筒形の本体及び屋根部からなる円形貯水タンクの屋根部の改修又は補修に際して、貯水空間を容易かつ効果的に密閉保護することができる円形貯水タンクの密閉機構及び気体の注入により円環状に膨張し、人手をかけることなく円形密閉シートの周縁部を本体内壁に密着させ、塵埃などの異物の混入を防いで、貯水空間を確実に保護することができる該機構用の可撓性シート製中空管環状体の製造方法を提供することを目的としてなされたものである。
【課題を解決するための手段】
【０００４】
本発明者らは、上記の課題を解決すべく鋭意研究を重ねた結果、密閉シートをタンク本体内壁に固定するアンカーボルトを密閉シート面よりも上方に設け、本体内壁の直径に等しい外径を有する可撓性シート製中空管環状体を密閉シートに載置結合し、中空管内に気体を圧入して環状体を膨張させることにより、密閉シートの周縁部は本体内壁に押し付けられて隙間が生ずることがなく、さらに、可撓性シート製中空管環状体を、円筒形の中心軸と直交しない平面で両端が切断された円筒形中空管の複数個が、最長の母線及び最短の母線がそれぞれ連続するように連結された形状とすることにより、可撓性シート製中空管環状体に気体を注入して膨張させると円滑に円環状となり、人手をかけることなく密閉シートの周縁部を本体内壁に押し付け得ることを見いだし、この知見に基づいて本発明を完成するに至った。
すなわち、本発明は、
（１）円形貯水タンクの本体内上部に架設する円形密閉シート及び可撓性シート製中空管環状体よりなる円形貯水タンクの密閉機構であって、円形密閉シートの直径が円形貯水タンクの直径より大きく、円形密閉シートの周縁が円形貯水タンクの上部内面に係止され、可撓性シート製中空管環状体が気体充填口を有し、気体を圧入膨張した状態での可撓性シート製中空管環状体の外周が円形密閉シートを介して円形貯水タンクの内周に当接し、可撓性シート製中空管環状体は複数個の円筒形中空管が連結された形状であり、連結される個々の円筒形中空管は、円筒形の両端が該円筒形の中心軸と直交しない平面で切断され、中心軸を含む一つの平面に対して面対称であり、複数個の円筒形中空管の最長の母線及び最短の母線がそれぞれ連続するように、複数個の円筒形中空管が連結された形状であることを特徴とする円形貯水タンクの密閉機構、及び、
（２）帯状の可撓性シートの長手方向の１５〜６０か所に両側縁を結ぶ２本の略正弦曲線からなる切り欠きを形成し、該切り欠きに隣接する可撓性シートどうしを接合したのち、帯状の可撓性シートの両側縁を接合して中空管とすることを特徴とする(１)記載の円形貯水タンクの密閉機構用の可撓性シート製中空管環状体の製造方法、
を提供するものである。
【発明の効果】
【０００５】
本発明の円形貯水タンクの密閉機構を用いることにより、円筒形の本体及び屋根部からなる円形貯水タンクの屋根部の改修又は補修に際して、貯水空間を密閉保護するために本体内上部に架設する円形密閉シートの周縁部を容易かつ簡便に本体内壁に密着させ、貯水空間を確実に保護して、安全に屋根部の工事を行うことができる。さらに、円形密閉シートの周縁部を本体内壁に密着させる可撓性シート製中空管環状体を、円筒形の両端を該円筒形の中心軸と直交しない平面で切断し、中心軸を含む平面に対して面対称である複数個の円筒形中空管を、最長の母線及び最短の母線がそれぞれ連続するように連結した形状とすることにより、可撓性シート製中空管環状体に気体を注入して膨張させると円滑に円環状となり、人手をかけることなく密閉シートの周縁部を本体内壁に押し付けることができる。
【発明を実施するための最良の形態】
【０００６】
本発明の円形貯水タンクの密閉機構は、円形貯水タンクの本体内上部に架設する円形密閉シート及び可撓性シート製中空管環状体よりなる円形貯水タンクの密閉機構であって、円形密閉シートの直径が円形貯水タンクの直径より大きく、円形密閉シートの周縁が円形貯水タンクの上部内面に係止され、可撓性シート製中空管環状体が気体充填口を有し、気体を圧入膨張した状態での可撓性シート製中空管環状体の外周が円形密閉シートを介して円形貯水タンクの内周に当接し、可撓性シート製中空管環状体は複数個の円筒形中空管が連結された形状であり、連結される個々の円筒形中空管は、円筒形の両端が該円筒形の中心軸と直交しない平面で切断され、中心軸を含む一つの平面に対して面対称であり、複数個の円筒形中空管の最長の母線及び最短の母線がそれぞれ連続するように、複数個の円筒形中空管が連結された形状である。本発明において、密閉とは、貯留水への塵埃などの異物の混入を防止する状態を意味し、気密状態を意味するものではない。
図１は、本発明に用いる可撓性シート製中空管環状体の一態様の膨張状態を示す平面図であり、図２は、その中空管環状体のＡ−Ａ線切断部の端面、気体充填口の側面及び固縛テープの側面を示す説明図である。図１に示す態様の可撓性シート製中空管環状体は、２個の気体充填口１と１８本の固縛テープ２を有する。気体充填口から気体を吹き込んで可撓性シート製中空管を膨張させると、可撓性シート製中空管環状体は図１に示す状態となる。
【０００７】
図３〜１０は、本発明の円形貯水タンクの密閉機構の適用方法の一態様の説明図である。円形密閉シートの周縁部に可撓性シート製中空管環状体を固縛テープにより固縛し、密閉シートを直線状に巻き込んでおく。図３に示すように、工事を行う円形貯水タンク３の屋根部４の対面する２か所にマンホール５を開けておく。巻き込んだ密閉シート６の端部に引き込みロープ７を取り付け、密閉シートを吊りロープ８により吊り上げる。マンホールから円形貯水タンク内に入ったダイバー９が引き込みロープを受け取り、引き込みロープの端を対面するマンホールまで運ぶ。ダイバーの代わりに、膨張性のボートをマンホールから入れ、ボートに乗って作業することもできる。
図４に示すように、対面するマンホールまで運ばれた引き込みロープ７は、マンホールから引き出される。次いで、図５に示すように、引き込みロープをマンホールから引き出すことにより、直線状に巻き込まれた密閉シート６を円形貯水タンクの中に引き込む。可撓性シート製中空管環状体の一方の気体充填口に送気ホース１０を取り付け、密閉シートを円形貯水タンク内に完全に引き込む。さらに、図６に示すように、可撓性シート製中空管環状体の他方の気体充填口にも送気ホース１０を取り付け、２個の気体充填口から気体を送り込む。
図７に示すように、気体の送入により可撓性シート製中空管環状体は膨張して広がり、可撓性シート製中空管環状体に固縛された密閉シート６は、可撓性シート製中空管環状体とともに円形貯水タンク３の中で広がる。可撓性シート製中空管環状体が完全に膨張して図１に示す環形状となると、図８に示すように、密閉シート６が完全に開き、密閉シートの周縁部が可撓性シート製中空管環状体により円形貯水タンクの内壁に押し付けられた状態となる。この状態で、可撓性シート製中空管環状体への送気を停止する。
【０００８】
次いで、図９に示すように、密閉シートのボルト止め作業を行うために、屋根部の外周に穿孔１１を開ける。図１０に示すように、密閉シートのボルト部２か所をロープ１２で固定し、作業者がゴンドラクレーン１３に乗り、円形貯水タンク本体壁面にボルト孔を開け、ボルトに密閉シートと押え板を挿通してボルトを壁面のボルト孔に挿入し、円形貯水タンクの外側からナットを螺合して締結する。
図１１は、密閉シートのボルトによる固定方法の説明図である。押え板１５と密閉シート１４を挿通してボルト１６を壁面のボルト孔に挿入し、円形貯水タンク１７の外側からナット１８を螺合して締結する。密閉シートの端部のボルト挿通箇所は、強度を高めるために、図に示すように折り返して二重とすることが好ましい。押え板の材質に特に制限はないが、密閉シートの損傷を避けるために、アラミド樹脂などのエンジニアリングプラスチックを用いることが好ましい。ボルトによる密閉シートの固定作業が終了したのち、さらに可撓性シート製中空管環状体１９に送気して内圧を上昇し、膨張させることにより、密閉シートの周縁部を本体内壁に強く密着させることができる。本態様の円形貯水タンクの密閉機構によれば、密閉シートの面は、ボルト止め位置より下方に存在し、かつ密閉シートの周縁部は可撓性シート製中空管環状体により円形貯水タンク本体内壁へ押し付けられているので、貯留水への塵埃などの混入を防止する効果に優れている。
【０００９】
本発明の円形貯水タンクの密閉機構を適用する場合、密閉シートに通気チューブを設けることが好ましい。本発明の円形貯水タンクの密閉機構を適用すると、密閉シートの周縁部は円形貯水タンクの本体内壁にほとんど気密状態に密着するので、密閉シートに通気チューブを設けることにより、貯留水量の増減に応じて通気チューブから空気を出入させ、密閉シートと貯留水面の間の空間を大気圧に保つことができる。通気チューブの構造に特に制限はなく、例えば、可撓性シート製のチューブの一端を密閉シートに開けた穴に取り付け、他端を円形貯水タンクの外側に出して、塵埃などの異物の侵入を防ぐために開口部を下向きとすることができる。必要に応じて、通気チューブに異物侵入防止用のフィルターを設けることができる。
本発明に用いる可撓性シート製中空管環状体は、複数個の円筒形中空管が連結された形状であり、連結される個々の円筒形中空管は、円筒形の両端が該円筒形の中心軸と直交しない平面で切断され、中心軸を含む一つの平面に対して面対称であり、複数個の円筒形中空管の最長の母線及び最短の母線がそれぞれ連続するように、複数個の円筒形中空管が連結された形状である。本発明に用いる可撓性シート製中空管環状体は、個々の円筒形中空管がすべて離れた状態から接合される必要はなく、例えば、帯状に連続した複数個の円筒形中空管を部分的に接合することにより、複数個の円筒形中空管が連結された形状の可撓性シート製中空管環状体とすることができる。
【００１０】
図１２は、本発明に用いる円筒形中空管の形状の説明図である。本発明に用いる円筒形中空管２０は、円筒形の両端が該円筒形の中心軸２１と直交しない平面２２及び２３により切断されて楕円形２４となり、中心軸を含む一つの平面に対して面対称であり、対称面と円筒面との一方の交線が最長の母線２５であり、対称面と円筒面との他方の交線が最短の母線２６である。本発明に用いる可撓性シート製中空管環状体は、複数個の円筒形中空管の最長の母線及び最短の母線がそれぞれ連続するように、複数個の円筒形中空管が連結された形状を有する。本発明に用いる円筒形中空管は、中心軸に垂直な平面に対して面対称であることが好ましい。円筒形中空管が中心軸に垂直な平面に対して面対称であると、円筒形の両端の切断面は同じ楕円形となるので、複数個の円筒形中空管を容易に連結することができる。
図１２に示す両端が円筒形の中心軸と直交しない平面により切断された形状の円筒形中空管を複数個連結することにより、図１に示す外周及び内周が多角形である可撓性シート製中空管環状体を形成することができる。図１に示す外周及び内周が多角形である可撓性シート製中空管環状体を円形貯水タンク内に入れて、気体を吹き込んで膨張させると、可
撓性シート製中空管環状体は自然に円環状になって円形貯水タンクの壁面に密着する。
【００１１】
図１３は、従来より用いていた可撓性シート製中空管環状体の説明図である。従来は、可撓性シート製の長い円筒形中空管の両端を連結して可撓性シート製中空管環状体を作製していた。この可撓性シート製中空管環状体２７を円形貯水タンク２８内に入れて、気体を吹き込んで膨張させると、可撓性シート製中空管環状体は円環状にならず、可撓性シート製中空管環状体と円形貯水タンクの壁面の間に隙間２９ができてしまう。そのために、従来は、可撓性シート製中空管環状体に気体を吹き込んで膨張させるに際して、作業者を円形貯水タンクの周囲に配置して、膨張する可撓性シート製中空管環状体を円形貯水タンクの壁面に引き寄せる必要があった。本発明の円形貯水タンクの密閉機構を適用し、外周及び内周が多角形である可撓性シート製中空管環状体を用いることにより、膨張する可撓性シート製中空管環状体は自然に円環状になって円形貯水タンクの壁面に密着するので、円形密閉シートの展張作業に要する工数を減少して、展張作業を合理化することができる。
本発明に用いる可撓性シート製中空管環状体は、円筒形の中心軸と直交しない平面により両端が切断された形状の円筒形中空管１５〜６０個が連結された形状であることが好ましく、該円筒形中空管２０〜４０個が連結された形状であることがより好ましい。連結される円筒形中空管の個数が１５個未満であると、膨張した可撓性シート製中空管環状体が円形貯水タンクの壁面に密着せず、可撓性シート製中空管環状体と円形貯水タンクの壁面の間に隙間が生ずるおそれがある。連結される円筒形中空管の個数が６０個以下で、膨張した可撓性シート製中空管環状体は円形貯水タンクの壁面に密着し、連結される円筒形中空管の個数が６０個を超えると、可撓性シート製中空管環状体を作製するための工数がいたずらに増加するおそれがある。
【００１２】
本発明に用いる可撓性シート製中空管環状体は、連結される円筒形中空管の最長の母線の合計が、円形貯水タンクの壁面の内周と略等しいことが好ましい。連結される円筒形中空管の最長の母線の合計を、円形貯水タンクの壁面の内周と略等しくすることにより、気体を圧入膨張した状態で、可撓性シート製中空管環状体の外周を円形密閉シートを介して、円形貯水タンクの内周に当接させることができる。連結される円筒形中空管の両端を平面で切断した断面は、中心軸に垂直な平面を対称面とする対称形であることが好ましい。連結される円筒形中空管の両端を切断する２つの平面がなす角度は、３６０度を連結される円筒形中空管の個数で除した商に略等しいことが好ましい。すなわち、連結される円筒形中空管の個数が１５個のときは略２４度、３０個のときは略１２度、６０個のときは略６度であることが好ましい。連結される円筒形中空管の両端を切断する２つの平面がなす角度を、３６０度を連結される円筒形中空管の個数で除した商に略等しくすることにより、気体を圧入膨張した状態で、可撓性シート製中空管環状体の外周を円形密閉シートを介して、円形貯水タンクの内周に当接させることができる。
【００１３】
本発明の円形貯水タンクの密閉機構用の可撓性シート製中空管環状体の製造方法においては、帯状の可撓性シートの長手方向の１５〜６０か所に両側縁を結ぶ２本の略正弦曲線からなる切り欠きを形成し、該切り欠きに隣接する可撓性シートどうしを接合したのち、帯状の可撓性シートの両側縁を接合して中空管とする。
図１４は、本発明の可撓性シート製中空管環状体の製造方法の２態様の説明図である。図１４(ａ)においては、帯状の可撓性シート３０に、両側縁を結ぶ２本の正弦曲線からなる切り欠き３１が形成され、該正弦曲線は、振幅０が帯状の両側縁３２に、振幅の最大値が帯状の中央３３に位置している。図１４(ｂ)においては、帯状の可撓性シート３０に、両側縁を結ぶ２本の正弦曲線からなる切り欠き３４が形成され、該正弦曲線は、振幅０が帯状の中央３３に、振幅の最大値が帯状の両側縁３２に位置している。
本発明方法においては、両側縁を結ぶ２本の正弦曲線からなる切り欠きに隣接する可撓性シートどうしを接合したのち、両側縁を接合して中空管とし、さらに中空管どうしの末端を接合して環状体とする。切り欠きを両側縁を結ぶ２本の略正弦曲線で形成することにより、両側縁を接合して中空管としたとき、個々の円筒形中空管の末端が楕円形となり、形態が安定した可撓性シート製中空管環状体を作製することができる。図１４(ａ)に示す態様においては、帯状の可撓性シートの両側縁が円筒形中空管の最長の母線となり、帯状の可撓性シートの中央線が円筒形中空管の最短の母線となる。図１４(ｂ)に示す態様においては、帯状の可撓性シートの両側縁が円筒形中空管の最短の母線となり、帯状の可撓性シートの中央線が円筒形中空管の最長の母線となる。
【００１４】
本発明に用いる可撓性シートとしては、例えば、ゴム引布、プラスチック引布などを挙げることができる。ゴム引布又はプラスチック引布の基布の材質に特に制限はなく、例えば、綿織物、ポリエステル織物、ポリアミド織物などを挙げることができる。本発明に用いるゴム引布のゴムの材質に特に制限はなく、例えば、天然ゴム、イソプレンゴム、スチレン−ブタジエンゴム、ブタジエンゴム、クロロプレンゴム、ニトリル−ブタジエンゴム、水素化ニトリル−ブタジエンゴム、ＥＰＤＭエラストマーなどを挙げることができる。本発明に用いるプラスチック引布のプラスチックの材質に特に制限はなく、例えば、ポリウレタン、ポリ塩化ビニル、エチレン−酢酸ビニル共重合体などを挙げることができる。これらの中で、プラスチック引布は融着が可能なので好適に用いることができ、ポリウレタン引布を特に好適に用いることができる。
本発明の円形貯水タンクの密閉機構を適用して屋根部の改修工事又は補修工事を行うことができる円形貯水タンクの大きさに特に制限はないが、直径１０〜４０ｍ、容量１,０００〜１０,０００ｍ3の円形貯水タンクの工事に好適に適用することができる。本発明に用いる可撓性シート製中空管環状体の中空管の膨張時の直径は、１５０〜５００ｍｍであることが好ましく、２２０〜４００ｍｍであることがより好ましい。中空管の膨張時の直径が１５０ｍｍ未満であると、密閉シートの周縁部を円形貯水タンクの本体内壁に押し付ける力が不足するおそれがある。中空管の膨張時の直径が５００ｍｍを超えると、タンク内作業に支障をきたすおそれがある。
【産業上の利用可能性】
【００１５】
本発明の円形貯水タンクの密閉機構を用いることにより、円筒形の本体及び屋根部からなる円形貯水タンクの屋根部の改修又は補修に際して、貯水空間を密閉保護するために本体内上部に架設する円形密閉シートの周縁部を容易かつ簡便に本体内壁に密着させ、貯水空間を確実に保護して、安全に屋根部の工事を行うことができる。さらに、円形密閉シートの周縁部を本体内壁に密着させる可撓性シート製中空管環状体を、円筒形の両端を該円筒形の中心軸と直交しない平面で切断し、中心軸を含む一つの平面に対して面対称である複数個の円筒形中空管を、最長の母線及び最短の母線がそれぞれ連続するように連結した形状とすることにより、可撓性シート製中空管環状体に気体を注入して膨張させると円滑に円環状となり、人手をかけることなく密閉シートの周縁部を本体内壁に押し付けることができる。
【図面の簡単な説明】
【００１６】
【図１】本発明に用いる可撓性シート製中空管環状体の一態様の平面図である。
【図２】図１の可撓性シート製中空管環状体の説明図である。
【図３】本発明の円形貯水タンクの密閉機構の適用方法の一態様の説明図である。
【図４】本発明の円形貯水タンクの密閉機構の適用方法の一態様の説明図である。
【図５】本発明の円形貯水タンクの密閉機構の適用方法の一態様の説明図である。
【図６】本発明の円形貯水タンクの密閉機構の適用方法の一態様の説明図である。
【図７】本発明の円形貯水タンクの密閉機構の適用方法の一態様の説明図である。
【図８】本発明の円形貯水タンクの密閉機構の適用方法の一態様の説明図である。
【図９】本発明の円形貯水タンクの密閉機構の適用方法の一態様の説明図である。
【図１０】本発明の円形貯水タンクの密閉機構の適用方法の一態様の説明図である。
【図１１】密閉シートのボルトによる固定方法の説明図である。
【図１２】本発明に用いる円筒形中空管の形状の説明図である。
【図１３】従来より用いていた可撓性シート製中空管環状体の説明図である。
【図１４】可撓性シート製中空管環状体の製造方法の２態様の説明図である。
【図１５】従来の円形貯水タンクの改修方法の説明図である。
【図１６】密閉シートとタンク本体内壁との接合状態の説明図である。
【符号の説明】
【００１７】
１  気体充填口
２  固縛テープ
３  円形貯水タンク
４  屋根部
５  マンホール
６  密閉シート
７  引き込みロープ
８  吊りロープ
９  ダイバー
１０  送気ホース
１１  穿孔
１２  ロープ
１３  ゴンドラクレーン
１４  密閉シート
１５  押え板
１６  ボルト
１７  円形貯水タンク
１８  ナット
１９  可撓性シート製中空管環状体
２０  円筒形中空管
２１  中心軸
２２  平面
２３  平面
２４  楕円形
２５  最長の母線
２６  最短の母線
２７  可撓性シート製中空管環状体
２８  円形貯水タンク
２９  隙間
３０  帯状の可撓性シート
３１  切り欠き
３２  帯状の両側縁
３３  帯状の中央
３４  切り欠き
３５  本体
３６  屋根部
３７  円形貯水タンク
３８  密閉シート
３９  仮設張力構造体
４０  側壁
４１  アンカーボルト
４２  押さえプレート
４３  螺合ボルト
【図１】
2008207850.tif 000003
【図２】
2008207850.tif 000004
【図３】
2008207850.tif 000005
【図４】
2008207850.tif 000006
【図５】
2008207850.tif 000007
【図６】
2008207850.tif 000008
【図７】
2008207850.tif 000009
【図８】
2008207850.tif 000010
【図９】
2008207850.tif 000011
【図１０】
2008207850.tif 000012
【図１１】
2008207850.tif 000013
【図１２】
2008207850.tif 000014
【図１３】
2008207850.tif 000015
【図１４】
2008207850.tif 000016
【図１５】
2008207850.tif 000017
【図１６】
2008207850.tif 000018
【手続補正書】
【提出日】平成19年9月12日(2007.9.12)
【手続補正１】
【補正対象書類名】特許請求の範囲
【補正対象項目名】全文
【補正方法】変更
【補正の内容】
【特許請求の範囲】
【請求項１】
円形貯水タンクの本体内上部に架設する円形密閉シート及び可撓性シート製中空管環状体よりなる円形貯水タンクの密閉機構であって、円形密閉シートの直径が円形貯水タンクの直径より大きく、円形密閉シートの周縁が円形貯水タンクの上部内面に係止され、可撓性シート製中空管環状体が気体充填口を有し、気体を圧入膨張した状態での可撓性シート製中空管環状体の外周が円形密閉シートを介して円形貯水タンクの内周に当接し、可撓性シート製中空管環状体は複数個の円筒形中空管が連結された形状であり、連結される個々の円筒形中空管は、円筒形の両端が該円筒形の中心軸と直交しない平面で切断され、中心軸を含む一つの平面に対して面対称であり、複数個の円筒形中空管の最長の母線及び最短の母線がそれぞれ連続するように、複数個の円筒形中空管が連結された形状であることを特徴とする円形貯水タンクの密閉機構。
【請求項２】
帯状の可撓性シートの長手方向の１５〜６０か所に両側縁を結ぶ２本の略正弦曲線からなる切り欠きを形成し、該切り欠きに隣接する可撓性シートどうしを接合したのち、帯状の可撓性シートの両側縁を接合して中空管とすることを特徴とする請求項１記載の円形貯水タンクの密閉機構用の可撓性シート製中空管環状体の製造方法。
【請求項３】
請求項１の円形貯水タンクの密閉機構の貯水タンクへの適用方法であって、円筒形の本体及び屋根部からなる貯水タンクの屋根部の改修又は補修に際して、円形貯水タンクの屋根部の対面する２か所にマンホールを開けておき、該マンホールの一方から直線状に巻き込んだ２個の気体充填口を有する円形密閉シートの先端を引きこみ、該マンホールに対面する他方のマンホールまで運び、２個の気体充填口から気体を送入して可撓性シート製中空管環状体を環形状に膨脹させることによって、円形密閉シートを完全に開き、円形密閉シートの周縁部を可撓性シート製中空管環状体により円形貯水タンクのうち壁に押しつけることを特徴とする円形貯水タンクの密閉機構の貯水タンクへの適用方法。
【請求項４】
直線状に巻きこんだ円形密閉シートの先端部に引き込みロープを取り付け、該引き込みロープを一方のマンホールから引き込んで、対面する他方のマンホールまで運んで、該引き込みロープを他方のマンホールから引き出すことによって、直線状に巻きこんだ円形密閉シートを貯水タンクの中に引き込み、該直線状に巻きこんだ円形密閉シート両端の気体充填口から気体を送入して円形密閉シートの密閉シート固定補助具を環形状に膨脹させる請求項３記載の円形貯水タンクの密閉機構の貯水タンクへの適用方法。
【手続補正３】
【補正対象書類名】明細書
【補正対象項目名】０００４
【補正方法】変更
【補正の内容】
【０００４】
本発明者らは、上記の課題を解決すべく鋭意研究を重ねた結果、密閉シートをタンク本体内壁に固定するアンカーボルトを密閉シート面よりも上方に設け、本体内壁の直径に等しい外径を有する可撓性シート製中空管環状体を密閉シートに載置結合し、中空管内に気体を圧入して環状体を膨張させることにより、密閉シートの周縁部は本体内壁に押し付けられて隙間が生ずることがなく、さらに、可撓性シート製中空管環状体を、円筒形の中心軸と直交しない平面で両端が切断された円筒形中空管の複数個が、最長の母線及び最短の母線がそれぞれ連続するように連結された形状とすることにより、可撓性シート製中空管環状体に気体を注入して膨張させると円滑に円環状となり、人手をかけることなく密閉シートの周縁部を本体内壁に押し付け得ることを見いだし、この知見に基づいて本発明を完成するに至った。
すなわち、本発明は、
（１）円形貯水タンクの本体内上部に架設する円形密閉シート及び可撓性シート製中空管環状体よりなる円形貯水タンクの密閉機構であって、円形密閉シートの直径が円形貯水タンクの直径より大きく、円形密閉シートの周縁が円形貯水タンクの上部内面に係止され、可撓性シート製中空管環状体が気体充填口を有し、気体を圧入膨張した状態での可撓性シート製中空管環状体の外周が円形密閉シートを介して円形貯水タンクの内周に当接し、可撓性シート製中空管環状体は複数個の円筒形中空管が連結された形状であり、連結される個々の円筒形中空管は、円筒形の両端が該円筒形の中心軸と直交しない平面で切断され、中心軸を含む一つの平面に対して面対称であり、複数個の円筒形中空管の最長の母線及び最短の母線がそれぞれ連続するように、複数個の円筒形中空管が連結された形状であることを特徴とする円形貯水タンクの密閉機構、
（２）帯状の可撓性シートの長手方向の１５〜６０か所に両側縁を結ぶ２本の略正弦曲線からなる切り欠きを形成し、該切り欠きに隣接する可撓性シートどうしを接合したのち、帯状の可撓性シートの両側縁を接合して中空管とすることを特徴とする(１)記載の円形貯水タンクの密閉機構用の可撓性シート製中空管環状体の製造方法、
（３）(１)の円形貯水タンクの密閉機構の貯水タンクへの適用方法であって、円筒形の本体及び屋根部からなる貯水タンクの屋根部の改修又は補修に際して、円形貯水タンクの屋根部の対面する２か所にマンホールを開けておき、該マンホールの一方から直線状に巻き込んだ２個の気体充填口を有する円形密閉シートの先端を引きこみ、該マンホールに対面する他方のマンホールまで運び、２個の気体充填口から気体を送入して可撓性シート製中空管環状体を環形状に膨脹させることによって、円形密閉シートを完全に開き、円形密閉シートの周縁部を可撓性シート製中空管環状体により円形貯水タンクのうち壁に押しつけることを特徴とする円形貯水タンクの密閉機構の貯水タンクへの適用方法、及び、
（４）直線状に巻きこんだ円形密閉シートの先端部に引き込みロープを取り付け、該引き込みロープを一方のマンホールから引き込んで、対面する他方のマンホールまで運んで、該引き込みロープを他方のマンホールから引き出すことによって、直線状に巻きこんだ円形密閉シートを貯水タンクの中に引き込み、該直線状に巻きこんだ円形密閉シート両端の気体充填口から気体を送入して円形密閉シートの密閉シート固定補助具を環形状に膨脹させる(３)記載の円形貯水タンクの密閉機構の貯水タンクへの適用方法、
を提供するものである。